(57)【要約】【課題】単一のリモコン送信機によりリモコン操作を行った視聴者側のデュアルビュー表示における映像に関わる遠隔操作を行うことができるようにする。【解決手段】シングルビュー表示又はデュアルビュー表示を可能とする視差バリア（光学系分離素子）３Ａにより、視聴位置に応じたリモコン信号がリモコン受信器６Ａ又はリモコン受信器６Ｂのいずれかによって受信されるようにし、受信判別部５によりリモコン受信器６Ａ及びリモコン受信器６Ｂのどちらがリモコン信号を受信したかが判別されると、映像処理制御回路４によりその判別結果に基づき、映像処理回路２による第１映像データ又は第２映像データに関わる映像処理がリモコン信号の内容に応じて制御されるようにした。【選択図】図３
2008090061.tif 000002
【特許請求の範囲】
【請求項１】
表示手段に表示される映像の表示制御をリモコン信号に基づいて行う表示制御装置であって、
第１映像データ及び第２映像データに基づいてデュアルビュー表示を行わせる映像処理手段と、
前記第１映像データに対応し、映像処理に関わるリモコン信号を受信する第１の受信手段と、
前記第２映像データに対応し、映像処理に関わるリモコン信号を受信する第２の受信手段と、
前記第１の受信手段及び前記第２の受信手段を覆い、視聴位置に応じた前記リモコン信号を前記第１の受信手段又は前記第２の受信手段のいずれかに受信させる視差バリアと、
前記第１及び第２の受信手段のどちらが前記リモコン信号を受信したかを判別する判別手段と、
該判別手段による判別結果に基づき、前記映像処理手段による前記第１映像データ又は前記第２映像データに関わる映像処理を前記リモコン信号の内容に応じて制御する映像処理制御手段とを備える
ことを特徴とする表示制御装置。
【請求項２】
前記視差バリアは、前記表示手段と前記第１の受信手段及び前記第２の受信手段とを覆うように設けられていることを特徴とする請求項１に記載の表示制御装置。
【請求項３】
前記視差バリアは、前記第１の受信手段と前記第２の受信手段とを個別に覆うように設けられていることを特徴とする請求項１に記載の表示制御装置。
【請求項４】
前記第１の受信手段及び前記第２の受信手段は、前記視差バリアの透光性スリットの幅に応じて配置され、前記リモコン信号を受信する受信部を有していることを特徴とする請求項１〜３のいずれかに記載の表示制御装置。
【請求項５】
請求項１〜４のいずれかに記載の表示制御装置を具備することを特徴とする映像表示機器。
【請求項６】
映像の表示制御をリモコン信号に基づいて行う表示制御方法であって、
第１映像データ及び第２映像データに基づいてデュアルビュー表示を行わせるステップと、
前記第１映像データに対応し、映像処理に関わるリモコン信号を第１の受信手段によって受信するステップと、
前記第２映像データに対応し、映像処理に関わるリモコン信号を第２の受信手段によって受信するステップと、
前記第１及び第２の受信手段のどちらが該第１及び第２の受信手段を覆う視差バリアを介して前記リモコン信号を受信したかを判別するステップと、
該判別結果に基づき、前記第１映像データ又は前記第２映像データに関わる映像処理を前記リモコン信号の内容に応じて制御するステップとを有する
ことを特徴とする表示制御方法。
【発明の詳細な説明】
【技術分野】
【０００１】
本発明は、デュアルビュー表示での視聴者側のリモコン操作に伴った映像の表示制御を行うための表示制御装置、映像表示機器及び表示制御方法に関する。
【背景技術】
【０００２】
液晶表示パネルは、２枚のガラス基板の間に注入された異方性誘電率を有する液晶層を有し、その液晶層に印加する電界の強さを調整することで、ガラス基板を通過する光の量を調整し所望の静止画像や動画像を表示させる。このような液晶表示パネルは、軽量化、薄型化、低消費電力化等に優れており、携帯電話、カーナビ、ＰＤＡ、パーソナルコンピュータ、テレビジョン受像機等の身近な機器に限らず、計測機器、医療機器、産業機器全般等の表示器として採用されている。
【０００３】
ところで、このような液晶表示パネルには、デュアルビューディスプレイ技術を採用することで、デュアルビュー表示を行うことができるものがある。ここで、デュアルビュー表示とは、同一の表示画面で互いに異なる映像をそれぞれの視聴位置で視聴できるようにしたものである。
【０００４】
このようなデュアルビューディスプレイの基本原理は、複数の画素を有する液晶表示パネルの全面に、不透明領域によって隔たれた垂直な透光性スリットを複数有するスクリーンである視差バリア（光学系分離素子）が配置されており、その透光性スリットを介し、視聴する位置に応じて異なる映像が見えるというものである。
【０００５】
ところで、このようなデュアルビュー表示では、それぞれの視聴者によって映像の切替操作等が行われた場合、どちらの映像に対しての切り替えが行われたかの識別が必要となる。
【０００６】
このようなデュアルビュー表示での切り替えの識別を行うようにしたものとして、特許文献１では、タッチパネルに視聴者Ａタッチ専用エリアと視聴者Ｂタッチ専用エリアとを設け、タッチパネルによるタッチ検出によって得られた座標データに基づき、視聴者Ａタッチ専用エリア又は視聴者Ｂタッチ専用エリアのいずれがタッチされたかの判断が行われ、タッチされた視聴者Ａタッチ専用エリア又は視聴者Ｂタッチ専用エリアに対応する映像を認識して表示動作を制御するようにするようにした表示装置を提案している。
【特許文献１】特開２００５−７１２８６号公報
【発明の開示】
【発明が解決しようとする課題】
【０００７】
このように、上述した特許文献１に示されている表示装置では、タッチパネルに視聴者Ａタッチ専用エリアと視聴者Ｂタッチ専用エリアとを設け、タッチされたエリアを判断してそのエリアに対応する映像を認識することにより、その映像の表示動作が制御されるようにしている。
【０００８】
ところが、画面に表示されるタッチ操作画面へのタッチ操作によって表示動作を制御すべき映像を判断するようにすると、一方の視聴者がタッチ操作画面へのタッチ操作を行っているとき、他方の視聴者が映像を視聴できなくなってしまう。
【０００９】
そこで、タッチパネルによるタッチ操作の代わりに、リモコン送信機による遠隔操作で一方の視聴者側の映像のみの操作が行われるようにすることにより、他方の視聴者が映像を視聴できなくなってしまうという不具合が解消されるものと考えられる。
【００１０】
この場合、それぞれの視聴者毎の専用のリモコン送信機を用意しておき、リモコン信号を受け取る受信側でいずれのリモコン送信機からのリモコン信号であるかを判別するようにすればよいと考えられる。その際、たとえばそれぞれのリモコン送信機のリモコン信号の周数帯域が異なるようにすることで、いずれのリモコン送信機からのリモコン信号であるかを判別することができ、リモコン送信機による遠隔操作が可能になる。
【００１１】
ところが、このように、それぞれの視聴者毎の専用のリモコン送信機を用意しておくと、リモコン送信機が複数必要となるばかりか、それぞれのリモコン送信機からのリモコン信号を復調するための処理回路がリモコン送信機の数だけ必要となり、構成が複雑なものとなってしまうという問題があった。
【００１２】
本発明は、このような状況に鑑みてなされたものであり、上記問題点を解決することができる表示制御装置、映像表示機器及び表示制御方法を提供することを目的とする。
【課題を解決するための手段】
【００１３】
本発明の表示制御装置は、表示手段に表示される映像の表示制御をリモコン信号に基づいて行う表示制御装置であって、第１映像データ及び第２映像データに基づいてデュアルビュー表示を行わせる映像処理手段と、前記第１映像データに対応し、映像処理に関わるリモコン信号を受信する第１の受信手段と、前記第２映像データに対応し、映像処理に関わるリモコン信号を受信する第２の受信手段と、前記第１の受信手段及び前記第２の受信手段を覆い、視聴位置に応じた前記リモコン信号を前記第１の受信手段又は前記第２の受信手段のいずれかに受信させる視差バリアと、前記第１及び第２の受信手段のどちらが前記リモコン信号を受信したかを判別する判別手段と、該判別手段による判別結果に基づき、前記映像処理手段による前記第１映像データ又は前記第２映像データに関わる映像処理を前記リモコン信号の内容に応じて制御する映像処理制御手段とを備えることを特徴とする。
また、前記視差バリアは、前記表示手段と前記第１の受信手段及び前記第２の受信手段とを覆うように設けられているようにすることができる。
また、  前記視差バリアは、前記第１の受信手段と前記第２の受信手段とを個別に覆うように設けられているようにすることができる。
また、前記第１の受信手段及び前記第２の受信手段は、前記視差バリアの透光性スリットの幅に応じて配置され、前記リモコン信号を受信する受信部を有しているようにすることができる。
本発明の映像表示機器は、請求項１〜４のいずれかに記載の表示制御装置を具備することを特徴とする。
本発明の表示制御方法は、映像の表示制御をリモコン信号に基づいて行う表示制御方法であって、第１映像データ及び第２映像データに基づいてデュアルビュー表示を行わせるステップと、前記第１映像データに対応し、映像処理に関わるリモコン信号を第１の受信手段によって受信するステップと、前記第２映像データに対応し、映像処理に関わるリモコン信号を第２の受信手段によって受信するステップと、前記第１及び第２の受信手段のどちらが該第１及び第２の受信手段を覆う視差バリアを介して前記リモコン信号を受信したかを判別するステップと、該判別結果に基づき、前記第１映像データ又は前記第２映像データに関わる映像処理を前記リモコン信号の内容に応じて制御するステップとを有することを特徴とする。
本発明の表示制御装置、映像表示機器及び表示制御方法では、視差バリアにより視聴位置に応じたリモコン信号が第１の受信手段又は第２の受信手段のいずれかによって受信され、第１及び第２の受信手段のどちらがリモコン信号を受信したかを判別することで、該判別結果に基づき、第１映像データ又は第２映像データに関わる映像処理がリモコン信号の内容に応じて制御される。
【発明の効果】
【００１４】
本発明の表示制御装置、映像表示機器及び表示制御方法によれば、視差バリアにより視聴位置に応じたリモコン信号が第１の受信手段又は第２の受信手段のいずれかによって受信されるようにし、第１及び第２の受信手段のどちらがリモコン信号を受信したかを判別することで、該判別結果に基づき、第１映像データ又は第２映像データに関わる映像処理がリモコン信号の内容に応じて制御されるようにしたので、単一のリモコン送信機によりリモコン操作を行った視聴者側の映像に関わる遠隔操作を行うことができる。
【発明を実施するための最良の形態】
【００１５】
本実施形態では、視差バリアにより視聴位置に応じたリモコン信号が第１の受信手段又は第２の受信手段のいずれかによって受信されるようにし、第１及び第２の受信手段のどちらがリモコン信号を受信したかを判別することで、該判別結果に基づき、第１映像データ又は第２映像データに関わる映像処理がリモコン信号の内容に応じて制御されるようにし、単一のリモコン送信機によりリモコン操作を行った視聴者側の映像に関わる遠隔操作が行われるようにした。
【実施例】
【００１６】
以下、本発明の実施例の詳細について説明する。図１は、本発明の表示制御装置をテレビジョン受像機に適用した場合の一実施例を説明するための図である。
【００１７】
図１に示すテレビジョン受像機１は、液晶表示パネル３及びリモコン受信器６Ａ，６Ｂを備えている。また、これらの液晶表示パネル３及びリモコン受信器６Ａ，６Ｂは、シングルビュー表示又はデュアルビュー表示を可能とする視差バリア（光学系分離素子）３Ａによって覆われている。
【００１８】
ここで、シングルビュー表示とは、後述の第１映像データ又は第２映像データのいずれか一方に応じた映像を視聴者Ａ及び視聴者Ｂが共に視聴することができるようにした表示モードである。一方、デュアルビュー表示とは、たとえば視聴者Ａは後述の第１映像データに応じた映像のみを視聴することができ、視聴者Ｂは後述の第２映像データに応じた映像のみを視聴することができるようにした表示モードである。これらの表示モードは、たとえばリモコン送信機１０からの切替操作によって表示切替が行われるようになっている。なお、視差バリア（光学系分離素子）３Ａの詳細については、後述する。
【００１９】
リモコン受信器６Ａ，６Ｂは、単一のリモコン送信機１０からのリモコン信号を受信するものであり、たとえば液晶表示パネル３の下方の左右に距離をおいて配置されている。ここで、リモコン受信器６Ａ，６Ｂを２個設けている理由は、デュアルビュー表示が行われているときに、視聴者Ａ又はＢのどちらがリモコン送信機１０を操作したかを判別するためであるが、その詳細については後述する。
【００２０】
図２は、上述した視差バリア（光学系分離素子）３Ａの詳細について説明するための図である。同図に示すように、視差バリア（光学系分離素子）３Ａは、不透明領域３ｂによって隔たれた垂直な透光性スリット３ａを複数有するスクリーンである。
【００２１】
ここで、上述したデュアルビュー表示を行わせる場合には、たとえば液晶表示パネル３の隣り合う画素ａ，ｂが第１映像データ又は第２映像データに応じて駆動されるようになっている。言い換えれば、隣り合う画素ａ，ｂは、互いに異なる映像データに応じて駆動されることになる。
【００２２】
このようにして、隣り合う画素ａ，ｂが互いに異なる映像データに応じて駆動されると、視聴者Ａは画素ａからの光を視差バリア（光学系分離素子）３Ａの透光性スリット３ａを通して見ることができ、視聴者Ｂは画素ｂからの光を視差バリア（光学系分離素子）３Ａの透光性スリット３ａを通して見ることができる。
【００２３】
なお、画素ａ，ｂは１個おきに互いに異なる映像データに応じて駆動されるようにしてもよいし、２個おき、あるいは３個おき等のように複数個おきに駆動されるようにしてもよいことは勿論であるが、いずれにしても視差バリア（光学系分離素子）３Ａの透光性スリット３ａの幅に応じて設定されるようになっている。
【００２４】
ちなみに、シングルビュー表示の場合には、たとえば液晶表示パネル３の隣り合う画素ａ，ｂが第１映像データ又は第２映像データのいずれか一方のデータに応じて駆動され、視聴者Ａ，Ｂが互いに同じ映像を視聴することができる。
【００２５】
このように、視差バリア（光学系分離素子）３Ａの透光性スリット３ａは、その光学系分離特性により空間上の規定された領域Ｘ，Ｙで画素ａ又は画素ｂからの光を見えるようにしたものである。
【００２６】
このようなことから、画素ａ，ｂが１個おきに互いに異なる映像データに応じて駆動される場合に対応した視差バリア（光学系分離素子）３Ａで上述したリモコン受信器６Ａ，６Ｂが覆われるとき、リモコン受信器６Ａ，６Ｂのリモコン受光部６ａ，６ｂを画素ａ，ｂとほぼ同じ大きさとし、リモコン受光部６ａ，６ｂを画素ａ，ｂに対応して配置する。なお、リモコン受光部６ａ，６ｂは、図２に示すように、画素ａ，ｂに対応して１個としてもよいが、複数のリモコン受光部６ａ，６ｂを画素ａ，ｂに対応して配置してもよく、この場合は受光面積を大きくすることができ、感度を増すことができる。
【００２７】
これにより、領域Ｘにおいてリモコン送信機１０を操作すると、そのリモコン信号はリモコン受信器６Ａのリモコン受光部６ａによって受信されることになる。一方、領域Ｙにおいてリモコン送信機１０を操作すると、そのリモコン信号はリモコン受信器６Ｂのリモコン受光部６ｂによって受信されることになる。
【００２８】
なお、画素ａ，ｂが数個おきに互いに異なる映像データに応じて駆動される場合に対応した視差バリア（光学系分離素子）３Ａで上述したリモコン受信器６Ａ，６Ｂが覆われるときは、リモコン受信器６Ａ，６Ｂのリモコン受光部６ａ，６ｂを数個の画素ａ，ｂとほぼ同じ大きさとし、上記同様に、１個又は複数のリモコン受光部６ａ，６ｂを画素ａ，ｂに対応して配置する。
【００２９】
また、図２では、リモコン受信器６Ａのリモコン受光部６ａを画素ａに対応させ、リモコン受信器６Ｂのリモコン受光部６ｂを画素ｂに対応させた場合を示しているが、リモコン受信器６Ａのリモコン受光部６ａを画素ｂに対応させ、リモコン受信器６Ｂのリモコン受光部６ｂを画素ａに対応させるようにしてもよい。この場合には、視聴者Ａからのリモコン信号がリモコン受信器６Ｂのリモコン受光部６ｂによって受信され、視聴者Ｂからのリモコン信号がリモコン受信器６Ａのリモコン受光部６ａによって受信されることになる。
【００３０】
図３は、テレビジョン受像機１の制御系を説明するための図である。同図に示すテレビジョン受像機１の制御系１Ａは、映像処理回路２、映像処理制御回路４、受信判別部５を備えている。
【００３１】
映像処理回路２は、たとえばデュアルビュー表示が選択されているとき、第１映像データと第２映像データとをそれぞれ復号処理し、それらの復号処理した第１映像データと第２映像データのＡ／Ｖ信号を液晶表示パネル３に出力して液晶表示パネル３の表示動作をコントロールする。
【００３２】
また、映像処理回路２は、第１映像データ又は第２映像データのいずれか一方に基づいたシングルビュー表示が選択されているとき、その復号処理した第１映像データ又は第２映像データのＡ／Ｖ信号を液晶表示パネル３に出力して液晶表示パネル３の表示動作をコントロールする。
【００３３】
なお、Ａ／Ｖ信号を液晶表示パネル３に出力するに際しては、たとえば選局したデジタル放送信号の場合、そのデジタル放送信号を復調し、ＭＰＥＧ２符号化方式等で符号化されている映像、音声、データが多重されたトランスポートストリームから映像データ、音声データ、電子番組表データ等の各種データを分離・抽出し、その分離・抽出した映像データ及び音声データに対しＭＰＥＧ２等の復号処理が行われる。
【００３４】
また、液晶表示パネル３の表示動作がコントロールされる際は、第１映像データ及び／又は第２映像データ等の復号処理されたＡ／Ｖ信号に基づき、液晶表示パネル３の図示しないゲートドライバ及びソースドライバが駆動される。ゲートドライバは液晶表示パネル３の図示しない複数の画素を駆動するための走査電圧を印加し、ソースドライバは液晶表示パネル３の図示しない複数の画素を駆動するための書込み電圧を印加する。
【００３５】
また、第１映像データ及び第２映像データは、デジタル放送信号における映像データであってもよいし、ビデオ、ＣＤ、ＤＶＤ等を再生する再生機器からの映像データのいずれであってもよい。
【００３６】
映像処理制御回路４は、受信判別部５によってリモコン信号を受信したと判別されたリモコン受信器６Ａ又は６Ｂに基づき、映像処理の対象となる第１映像データ又は第２映像データを認識し、映像処理回路２による映像処理をリモコン信号の内容に応じて制御する。
【００３７】
つまり、リモコン受信器６Ａが視聴者Ａによって視聴される第１映像データに対応し、リモコン受信器６Ｂが視聴者Ｂによって視聴される第２映像データに対応しているものとし、受信判別部５によってリモコン受信器６Ａがリモコン信号を受信したことを判別した場合、視聴者Ａ側の映像のみが操作可能とされる。また、受信判別部５によってリモコン受信器６Ｂがリモコン信号を受信したことが判別された場合、視聴者Ｂ側の映像のみが操作可能とされる。
【００３８】
受信判別部５は、リモコン受信器６Ａ又はリモコン受信器６Ｂのどちらがリモコン信号を受信したかを判別する。
【００３９】
すなわち、上述した視差バリア（光学系分離素子）３Ａにより、視聴者Ａが領域Ｘにおいてリモコン送信機１０を操作すると、そのリモコン信号はリモコン受信器６Ａのリモコン受光部６ａによって受信されることになり、受信判別部５によってリモコン受信器６Ａがリモコン信号を受信したことを判別する。
【００４０】
一方、視聴者Ｂが領域Ｙにおいてリモコン送信機１０を操作すると、そのリモコン信号はリモコン受信器６Ｂのリモコン受光部６ｂによって受信されることになり、受信判別部５によってリモコン受信器６Ｂがリモコン信号を受信したことを判別する。
【００４１】
次に、テレビジョン受像機１による表示制御方法について説明する。なお、以下の説明においては、視聴者Ａがリモコン受信器６Ａに近い方に位置し、視聴者Ｂがリモコン受信器６Ｂに近い方に位置しているものとする。また、表示モードの選択において、シングルビュー表示が選択された場合、第１映像データに基づいた映像が表示されるものとし、デュアルビュー表示が選択された場合、視聴者Ａが第１映像データに基づいた映像を視聴し、視聴者Ｂが第２映像データに基づいた映像を視聴するものとする。
【００４２】
まず、図４に示すように、リモコン送信機１０による表示モードの選択が判別される（ステップＳ１）。ここで、シングルビュー表示が選択されたと判別されると、映像処理制御回路４により映像処理回路２が制御され、復号処理された第１映像データのＡ／Ｖ信号が液晶表示パネル３に出力される（ステップＳ２）。
【００４３】
これに対し、デュアルビュー表示が選択されたと判別されると、映像処理制御回路４により制御される映像処理回路２により、第１映像データと第２映像データとがそれぞれ復号処理され、それらの復号処理された第１映像データと第２映像データとのＡ／Ｖ信号が液晶表示パネル３に出力される（ステップＳ３）。
【００４４】
このとき、上述した視差バリア（光学系分離素子）３Ａにより、視聴者Ａが第１映像データに基づいた映像を視聴し、視聴者Ｂが第２映像データに基づいた映像を視聴することができる。
【００４５】
ここで、視聴者Ａ又は視聴者Ｂがリモコン送信機１０によって選局等のリモコン操作を行うと、リモコン送信機１０からのリモコン信号が視差バリア（光学系分離素子）３Ａの光学系分離特性により、リモコン受信器６Ａのリモコン受光部６ａ又はリモコン受信器６Ｂのリモコン受光部６ｂによって受信される（ステップＳ４）。
【００４６】
すなわち、たとえば視聴者Ａがリモコン送信機１０によって選局等のリモコン操作を行ったとすると、リモコン送信機１０からのリモコン信号が視差バリア（光学系分離素子）３Ａの光学系分離特性により、リモコン受信器６Ａのリモコン受光部６ａによって受信される。一方、視聴者Ｂが領域Ｙにおいてリモコン送信機１０によって選局等のリモコン操作を行ったとすると、リモコン送信機１０からのリモコン信号が視差バリア（光学系分離素子）３Ａの光学系分離特性により、リモコン受信器６Ｂのリモコン受光部６ｂによって受信される。
【００４７】
そして、受信判別部５によってリモコン受信器６Ａ又はリモコン受信器６Ｂにいずれかがリモコン信号を受信したと判別されると（ステップＳ５）、映像処理制御回路４が受信判別部５からの判別結果に基づき、そのリモコン信号が視聴者Ａが視聴している第１映像データ又は視聴者Ｂが視聴している第２映像データに対応した選局等の操作であると認識し、映像処理回路２に対して第１映像データ又は第２映像データに対しての選局等の映像処理を指示する（ステップＳ６）。
【００４８】
このように、本実施例では、シングルビュー表示又はデュアルビュー表示を可能とする視差バリア（光学系分離素子）３Ａにより、視聴位置に応じたリモコン信号がリモコン受信器６Ａ又はリモコン受信器６Ｂのいずれかによって受信されるようにし、受信判別部５によりリモコン受信器６Ａ及びリモコン受信器６Ｂのどちらがリモコン信号を受信したかが判別されると、映像処理制御回路４によりその判別結果に基づき、映像処理回路２による第１映像データ又は第２映像データに関わる映像処理がリモコン信号の内容に応じて制御されるようにしたので、単一のリモコン送信機１０によりリモコン操作を行った視聴者側の映像に関わる遠隔操作を行うことができる。
【００４９】
また、本実施例では、液晶表示パネル３及びリモコン受信器６Ａ，６Ｂを視差バリア（光学系分離素子）３Ａによって覆うようにしたので、通常、液晶表示パネル３に用いられる視差バリア（光学系分離素子）３Ａをリモコン受信器６Ａ又は６Ｂでの視聴位置に応じたリモコン信号の受信制御に用いることができる。
【００５０】
なお、本実施例では、液晶表示パネル３及びリモコン受信器６Ａ，６Ｂを視差バリア（光学系分離素子）３Ａによって覆うようにした場合について説明したが、この例に限らず、たとえば図５に示すように、リモコン受信器６Ａとリモコン受信器６Ｂとを視差バリア（光学系分離素子）３Ａとは別体の視差バリア（光学系分離素子）３Ｂ，３Ｃによって個別に覆うようにしてもよい。
【００５１】
この場合には、視差バリア（光学系分離素子）３Ｂの透光性スリットの幅を、上述した視差バリア（光学系分離素子）３Ａの透光性スリット３ａの幅とは異なるように形成できるので、リモコン受信器６Ａ，６Ｂのリモコン受光部６ａ，６ｂを任意の大きさとすることができる。また、視差バリア（光学系分離素子）３Ｂ，３Ｃは視差バリア（光学系分離素子）３Ａとは別体なので、視差バリア（光学系分離素子）３Ｂ，３Ｃの配置に自由度が増す効果がある。
【００５２】
また、リモコン受信器６Ａ，６Ｂと視差バリア（光学系分離素子）３Ｂ，３Ｃにあっては、図５のように、液晶表示パネル３の下方に限らず、液晶表示パネル３の上方に配置されていてもよいし、液晶表示パネル３の左右に配置されていてもよい。また、リモコン受信器６Ａ，６Ｂと視差バリア（光学系分離素子）３Ｂ，３Ｃにあっては、液晶表示パネル３とは別体となるように配置されていてもよい。
【産業上の利用可能性】
【００５３】
映像が表示されるものであればよく、テレビジョン受像機に限らず、ＰＤＡ、ノートパソコン、モバイル向けテレビ等のシステム機器にも適用可能である。
【図面の簡単な説明】
【００５４】
【図１】本発明の表示制御装置をテレビジョン受像機に適用した場合の一実施例を説明するための図である。
【図２】図１の視差バリア（光学系分離素子）の詳細について説明するための図である。
【図３】図１のテレビジョン受像機の制御系を説明するための図である。
【図４】図１のテレビジョン受像機における表示制御方法を説明するためのフローチャートである。
【図５】図１の視差バリア（光学系分離素子）をリモコン受信器に個別に設けた場合の他の実施例を説明するための図である。
【符号の説明】
【００５５】
１  映像表示機器
１Ａ  制御系
２  映像処理回路（映像処理手段）
３  液晶表示パネル（表示手段）
３Ａ，３Ｂ，３Ｃ  視差バリア（光学系分離素子）
３ａ  透光性スリット
３ｂ  不透明領域
４  映像処理制御回路（映像処理制御手段）
５  受信判別部（判別手段）
６Ａ  リモコン受信器（第１の受信手段）
６Ｂ  リモコン受信器（第２の受信手段）
６ａ，６ｂ    リモコン受光部
１０  リモコン送信機
【図１】
2008090061.tif 000003
【図２】
2008090061.tif 000004
【図３】
2008090061.tif 000005
【図４】
2008090061.tif 000006
【図５】
2008090061.tif 000007